【事件の表示】
　上記当事者間の特許第４１２４４７４号発明「寝具」の特許無効審判事件について、次のとおり審決する。
【結　論】
　本件審判の請求は、成り立たない。
　審判費用は、請求人の負担とする。
【理　由】
Ｉ．手続の経緯
　本件特許第４１２４４７４号の請求項１ないし６に係る発明についての出願は、平成１７年１２月２０日に特許出願され、平成２０年５月１６日にその発明について特許の設定登録がなされた。
　これに対し、平成２０年１２月２５日に請求人（不二貿易株式会社）より無効審判の請求がなされ、平成２１年４月６日に被請求人ら（芝田悦代及び株式会社サン・ハーベスト）より答弁書が提出され、平成２１年６月１５日に請求人より口頭審理陳述要領書が提出され、さらに、平成２１年７月２日に被請求人らより口頭審理陳述要領書が提出されたものである。
　そして、平成２１年７月２日に口頭審理が行われたものである。
　
II．本件特許発明
　本件特許の請求項１乃至６に係る発明（以下、「本件特許発明１乃至６」という。）は、本件特許明細書の特許請求の範囲の請求項１乃至６に記載された次のとおりのものである。
「【請求項１】
　少なくとも上面を長手方向にかけて凹凸状に形成したクッション部と、該クッション部の下側に、上記クッション部を支持する支持フレームとが設けられている寝具であって、
上記クッション部を、上記支持フレームの幅よりも幅大に形成し、
上記クッション部を、その長さ方向にかけて複数のクッション片部材を配置させて構成し、
上記クッション部を被覆するクッション被覆部と、上記支持フレームを被覆する支持フレーム被覆部とを一体に形成した被覆カバーを具備し、
上記被覆カバーを、上記支持フレーム被覆部が支持フレームの外郭形状に、上記クッション被覆部がクッション部の外郭形状にそれぞれ相当する形状、及び、大きさにより形成して、上記クッション被覆部が上記支持フレーム被覆部に対して幅方向において段状に突き出した形態になるよう形成した
寝具。
【請求項２】
　上記クッション部の上下各側の面を、長手方向にかけて凹凸状に形成した
請求項１に記載の寝具。
【請求項３】
　上記クッション被覆部の内側に、複数の上記クッション片部材のそれぞれを区分けした状態で収容するクッション収容部を形成した
請求項１または２に記載の寝具。
【請求項４】
　上記クッション片部材の上記クッション収容部に対する出し入れ用の開閉部を、上記クッション収容部における、上記支持フレーム被覆部との対向面側に、上記支持フレームの幅方向にかけて形成した
請求項３に記載の寝具。
【請求項５】
　上記開閉部を開閉する開閉手段は、一対のスライドファスナであり、
上記一対のスライドファスナにおける一方の側を上記開閉部の一方の側の縁部に形成するとともに、上記一対のスライドファスナにおける他方の側を上記開閉部の他方の側の縁部に形成した
請求項４に記載の寝具。
【請求項６】
　上記支持フレームは、その長さ方向における所定部位にラチェット部材を介在させて折り曲げ可能に構成した
請求項１から請求項５のいずれか一項に記載の寝具。」
　
III．請求人及び被請求人らの主張の概略
１．請求人の主張
　請求人の主張は、甲第１乃至第１２号証を提出して、本件の請求項１乃至６に係る各特許発明は、甲第１号証乃至甲第６号証の発明および周知技術に基いて、特許出願前に当業者が容易に発明をすることができたものであるから、特許法第２９条第２項の規定により特許を受けることができない、というものである。
　
〈証拠方法〉
甲第１号証：カウチソファ（型番：ＦＥ−２３７）の販売サイトの写し
甲第１の２の１号証：甲第１号証のカウチソファの正面写真
甲第１の２の２号証：甲第１号証のカウチソファの背面写真
甲第１の２の３号証：甲第１号証のカウチソファの肘掛けを倒したときの状態を示す写真
甲第１の２の４号証：甲第１号証のカウチソファの肘掛けを倒したときの状態を示す底面写真
甲第１の２の５号証：甲第１号証のカウチソファの座部の構成を示す写真
甲第１の２の６号証：甲第１号証のカウチソファの背もたれ部の構成を示す写真
甲第１の２の７号証：甲第１号証のカウチソファ座部の底面の構造を示す写真
甲第１の２の８号証：甲第１号証のカウチソファの座部の底面のカバーを取り外したときの状態を示す写真
甲第１の２の９号証：甲第１号証のカウチソファの座部の底面の薄いクッションを取り外したときの状態を示す写真
甲第１の２の１０号証：甲第１号証のカウチソファの底面のカバーと、薄いクッションを取り外したときの状態を示す写真
甲第１の２の１１号証：甲第１号証のカウチソファの座部のフレームの長さを測定しているときの写真
甲第１の２の１２号証：甲第１号証のカウチソファの座部のフレームの長さを測定した結果を示す写真
甲第１の２の１３号証：甲第１号証のカウチソファの座部のフレームと、座部の第２のクッションとの突出幅を測定しているときの写真
甲第１の２の１４号証：甲第１号証のカウチソファの座部のフレームと、座部の第２のクッションとの突出幅を測定した結果を示す写真
甲第１の２の１５号証：甲第１号証のカウチソファの背もたれ部のフレームと、背もたれ部の第２のクッションとの突出幅を測定しているときの写真
甲第１の２の１６号証：甲第１号証のカウチソファの背もたれ部のフレームと、背もたれ部の第２のクッションとの突出幅を測定した結果を示す写真
甲第１の２の１７号証：甲第１号証のカウチソファの上面の第１のカバ一を取り外したときの状態を示す写真
甲第１の２の１８号証：甲第１号証のカウチソファの上面の第２のカバ一を取り外す作業を行っているときの写真
甲第１の２の１９号証：甲第１号証のカウチソファの上面の第２のカバ一を取り外したときの状態を示す写真
甲第１の２の２０号証：カウチソファの第１のクッションを取り外した時の状態を示す写真
甲第１の２の２１号証：甲第１号証のカウチソファの第２のクッションを取り外したときの状態を示す写真
甲第１の２の２２号証：甲第１号証のカウチソファの第２のクッションの厚さを測定しているときの写真
甲第１の２の２３号証：甲第１号証のカウチソファの第３のカバーを外したときの状態を示す写真
甲第１の２の２４号証：甲第１号証のカウチソファのフレームを示す写真
甲第１の２の２５号証：甲第１号証のカウチソファのフレームの幅を測定しているときの写真
甲第１の２の２６号証：甲第１号証のカウチソファのフレームの幅の測定結果を示す写真
甲第１の２の２７号証：甲第１号証のカウチソファのクッションの幅を測定しているときの写真
甲第１の２の２８号証：甲第１号証のカウチソファのクッションの幅の測定結果を示す写真
甲第１の２の２９号証：甲第１号証のカウチソファの座部の構成物品を列置した写真
甲第１の２の３０号証：甲第１号証のカウチソファのカバーの写真
甲第１の３の１号証：甲第１号証のカウチソファのCOMMERCIALINVOICEの写しとその訳文
申第１の３の２号証：甲第１号証のカウチソファのCOMMERCIALINVOICEの写しとその部分訳
申第１の３の３号証：甲第１号証のカウチソファのCOMMERCIALINVOICEの写しとその訳文
甲第１の４の１号証：甲第１号証のカウチソファを株式会社トライアルカンパニー筑後店に納入したときの納品書の写し
甲第１の４の２号証：甲第１号証のカウチソファを株式会社トライアルカンパニー浜田店に納入したときの物品受領書の写し
甲第１の４の３号証：甲第１号証のカウチソファを株式会社トライアルカンパニー浜田店に納入したときの納品書兼請求明細の写し
甲第１の５号証：カウチソファ納品確認書
甲第１の６の１：「ＷＡＳＡＢＩ」にて販売した際に発行した明細書
甲第１の６の２：「ＷＡＳＡＢＩ」にて販売した際に発行した明細書
甲第１の６の３：「ＷＡＳＡＢＩ」にて販売した際に発行した明細書
甲第１の６の４：「ＷＡＳＡＢＩ」にて販売した際に発行した明細書
甲第１の６の５：「ＷＡＳＡＢＩ」にて販売した際に発行した明細書
甲第１の６の６：「ＷＡＳＡＢＩ」にて販売した際に発行した明細書
甲第１の６の７：「ＷＡＳＡＢＩ」にて販売した際に発行した明細書
甲第１の６の８：「ＷＡＳＡＢＩ」にて販売した際に発行した明細書
甲第２号証：実願昭６０−１８６８８８号（実開昭６２−９５７００号）のマイクロフイルム
甲第３号証：特開２００１−２６９２４８号公報
甲第４号証：特開２００５−２５３５１４号公報
甲第５号証：特開２００３−３３４１２６号公報
甲第６号証：特開２０００−１５２８５２号公報
甲第７号証：特開２００５−９７５４０号公報
甲第８号証：特開２００２−１４２９２１号公報
甲第９号証：特開平１１−２３５８０５号公報
甲第１０号証：特開２００５−２７８号公報
甲第１１号証：特開２００４−１６２２５０号公報
甲第１２号証：登録実用新案第３０１０８１９号公報
　
２．被請求人らの主張
　これに対して、被請求人らの主張は、以下の通りである。
　本件特許発明は、進歩性を備えたものであり、本件特許は到底無効となり得ず、維持されるべきものである。
　
〈証拠方法〉
乙第１号証：特許第４１２４４７４号公報
乙第２号証：請求人の提出した補足資料２の１を訂正したもの
乙第３号証：請求人の提出した補足資料４を訂正したもの
　
IV．当審の判断
Ａ．甲第１乃至第１２号証の記載事項
１．甲第１号証乃至甲第１の６の８号証
（１）甲第１号証は、左上に「レザーカウチソファー・ＦＥ２３７　ＩＶ　家具・インテリア・雑貨の通販サイト」と記載されたインターネット販売サイトの写しであって、当該写しの中央やや上の位置には、背もたれ部、肘掛け部及び脚部を備えた長いすタイプのソファの写真が掲載され、その下方には、「レザーカウチソファー・ＦＥ２３７　ＩＶ」、「合成皮革／ウレタンフォーム」、「色：アイボリー」等と記載されている。
（２）甲第１の２の１乃至甲第１の２の３０号証は写真であって、それぞれの写真からつぎの事項が窺える。
（２−１）甲第１の２の１号証
　ソファを正面のやや斜め方向から撮影したものであって、背もたれ部及び肘掛け部を備えた長いすタイプであること。
（２−２）甲第１の２の２号証
　上記ソファを背面の斜め方向から撮影したものであって、上記背もたれ部の裏面部分を黒い布地部材（以下、「背もたれ部の底面カバー」という。）がほぼ全体を覆っていること、当該背もたれ部の底面カバーの周囲三方（写真の状態における、上方及び左右の２側方）は白色のシート部材に連なっていること、及び、脚部を有すること。
（２−３）甲第１の２の３号証
　背もたれ及び肘掛けを倒して座部とほぼ同一面にした状態の上記ソファを上方の斜め方向から撮影したものであって、上面の全体を白色のシート（以下、「表皮カバー」という。）が覆っていること。
（２−４）甲第１の２の４号証
　背もたれ及び肘掛けを倒して座部とほぼ同一面にした状態の上記ソファを逆さまにして座部の裏面を上にしたものを、上方の斜め方向から撮影したものであって、座部の裏面のほぼ全体を黒い布地部材（以下、「座部の底面カバー」という。）が覆っており、かつ、当該座部の底面カバーは上記した背もたれ部の底面カバーに連なっていること、上記した表皮カバーは、座部の底面まで延びて前記座部の底面カバーと連結されるとともに、背もたれ部の底面まで延びて前記背もたれ部の底面カバーと連結されるものであること、前記座部の底面カバーと前記表皮カバーとの連結部分、及び、背もたれ部と前記表皮カバーとの連結部分の一部が分離され、上記ソファの内部構造が現れていること。
（２−５）甲第１の２の５号証
　上記ソファの座部を一部解体したものを、座部の側部のやや裏面方向から撮影したものであって、座部の底面側から表面側に向けて、白色カバーで覆われたもの（以下、「第１のクッション」という。）、薄いスポンジシート（以下、「第２のクッション」という。）、まだら色の厚いシート（以下、「第３のクッション」という。）、茶色の部材（以下、「板材」という。）、金属のパイプ（以下、「支持フレーム」という。）、及び黄色の極薄スポンジシート（以下、「第４のクッション」という。）が存在すること。
（２−６）甲第１の２の６号証
　上記ソファの背もたれ部を一部解体したものを、背もたれ部の側部のやや裏面方向から撮影したものであって、座部に準じて、背もたれ部の底面側から表面側に向けて、第１のクッション、第２のクッション、第３のクッション、支持フレーム、及び第４のクッションが存在すること（請求人の提出した補足資料２の２も参照。）。
（２−７）甲第１の２の７号証
　上記ソファの座部を一部解体したものを、座部の裏面の上方方向から撮影したものであって、座部の底面側から表面側に向けて、座部の底面カバー、第４のクッション、支持フレーム、板材、第３のクッションの順で積層されていること、第３のクッションの一側面方向（写真における右方向）に向けて、第２のクッションが存在すること（請求人の提出した補足資料２の３も参照。）。
（２−８）甲第１の２の８号証
　甲第１の２の７号証に示された状態から、脚部材及び座部についての底面カバーを取り除いた状態を上方の斜め方向から撮影したものであって、第４のクッションが最上面にあること。
（２−９）甲第１の２の９号証
　甲第１の２の８号証に示された状態から、第４のクッションを取り除いた状態を上方の斜め方向から撮影したものであって、支持フレームが最上面にあること。
（２−１０）甲第１の２の１０号証
　甲第１の２の９号証に示された状態から、背もたれ部についての支持フレームを露出した状態を上方の斜め方向から撮影したものであって、当該支持フレームと第３のクッションとが隣接していること。
（２−１１）甲第１の２の１１号証
　甲第１の２の１０号証に示されたものにおいて、座部における幅方向長さを計測している様子を撮影したものであること。
（２−１２）甲第１の２の１２号証
  甲第１の２の１１号証に係る計測の状態を、一部拡大して撮影したものであって、計測の結果として、座部における幅方向長さが約５９ｃｍであること。
（２−１３）甲第１の２の１３号証
　甲第１の２の１０号証に示されたものにおいて、支持フレームの一側部に対する、第３のクッションと第２のクッションとからなる部分の突き出し長さを計測している様子を上方の斜め方向から撮影したものであること。
（２−１４）甲第１の２の１４号証
　甲第１の２の１３号証に係る計測の状態を、一部拡大して撮影したものであって、計測の結果として、第３のクッションが支持フレームの一側部に対して約３ｃｍ突き出した形態であること、及び、第３のクッションと第２のクッションとからなる部分が支持フレームの一側部に対して約４ｃｍ突き出した形態であること。
（２−１５）甲第１の２の１５号証
　甲第１の２の１０号証に示されたものにおいて、背もたれ部の一側部に対する、第３のクッションと第２のクッションとからなる部分の突き出し長さを計測している様子を上方の斜め方向から撮影したものであること。
（２−１６）甲第１の２の１６号証
　甲第１の２の１５号証に係る計測の状態を、一部拡大して撮影したものであって、計測の結果として、第３のクッションが背もたれ部の一側部に対して約５．５ｃｍ突き出した形態であること、及び第３のクッションと第２のクッションとからなる部分が支持フレームの一側部に対して約７ｃｍ突き出した形態であること。
（２−１７）甲第１の２の１７号証
　表皮カバーを下面にしたものを、上方の斜め方向から撮影したものであって、裏面全体に黒色のシート部材（以下、「仕切りカバー」という。）が設けられていること。
（２−１８）甲第１の２の１８号証
　表皮カバーを下面にしたものを、上方の斜め方向から撮影したものであって、仕切りカバーには、座部、肘掛け部および背もたれ部にあたる部分の、それぞれの長手方向に一つずつ開閉部が設けられていること。
（２−１９）甲第１の２の１９号証
　甲第１の２の１８号証に示された状態から、座部及び背もたれ部についての仕切りカバーを取り除いた状態を上方の斜め方向から撮影したものであって、第１のクッションが最上面にあること。
（２−２０）甲第１の２の２０号証
　甲第１の２の１５号証に示された状態から、支持フレーム及び板材を取り除いた状態を上方の斜め方向から撮影したものであって、座部、肘掛け部、および背もたれ部についての第３のクッションが最上面にあること。
（２−２１）甲第１の２の２１号証
　甲第１の２の２０号証に示された状態から、座部および背もたれ部についての第３のクッションを取り除いた状態を上方の斜め方向から撮影したものであって、座部および肘掛背もたれ部についての第２のクッションが最上面にあること。
（２−２２）甲第１の２の２２号証
  第３のクッションの厚さを計測しているところを撮影したものであって、当該厚さは約４．５ｃｍであること。
（２−２３）甲第１の２の２３号証
　甲第１の２の１０号証に示された状態から、肘掛け部についての裏面の白色のシート部材及び第４のクッションを取り除いた状態を上方の斜め方向から撮影したものであって、座部、肘掛部及び背もたれ部についての支持フレームが最上面にあること。
（２−２４）甲第１の２の２４号証
　支持フレームを取り出したものを単独で撮影したものであって、当該支持フレームの座部の部分と、背もたれ部分とが連結されて一体となっていること。
（２−２５）甲第１の２の２５号証
　甲第１の２の２４号証に示された支持フレームの、座部と背もたれ部とを合計した幅方向長さを計測している様子を撮影したものであること。
（２−２６）甲第１の２の２６号証
　甲第１の２の２５号証に示された計測の状態を、一部拡大して撮影したものであって、計測の結果として、支持フレームの座部と背もたれ部とを合計した幅方向長さが約９９．５ｃｍであること。
（２−２７）甲第１の２の２７号証
　座部及び背もたれ部についての第３のクッションの、座部と背もたれ部とを合計した幅方向長さを計測している様子を撮影したものであること。
（２−２８）甲第１の２の２８号証
　甲第１の２の２７号証に示された計測の状態を、一部拡大して撮影したものであって、計測の結果として、第３のクッションの座部と背もたれ部とを合計した幅方向長さが約１０２ｃｍであること。
（２−２９）甲第１の２の２９号証
  表皮カバー、第１のクッション、仕切りカバー及び第３のクッションを並べた状態を、上方の斜め方向から撮影したものであること。
（２−３０）甲第１の２の３０号証
　表皮カバー、第１のクッション、及び、第３のクッションを上方の斜め方向から撮影したものであること。
　
（３）甲第１の３の１号証乃至甲第１の３の３号証は、タイトルを「COMMERCIALINVOICE」（請求書（請求人の提出した訳文による。以下、同様。））とする文書であって、それぞれ、つぎのとおり記載されている。
（３−１）甲第１の３の１号証
　当該タイトルの右下の位置に「DATED:JUN,17,2005」（日付：2005年6月17日）、「INVOICE NO.FE0810」（請求書番号：FN0810）と記載され、また、左下の位置に「ON ACCOUNT AND RISK OF MESSRS. FUJI BOEKI CO.,LTD NO.3-9-17,HAMAMACHI,WAKAMATSU-KU,KITAKYUSHU-CITY,JAPAN」（不二貿易株式会社　御中　日本国北九州市若松区浜町3-9-17）と記載されている。さらに、これらの記載の下方の位置に「ARRIVAL ON/ABT JUN.28.2005」（到着日05年6月28日）、「SOFA AND FLOOR CHAIR ・・・FE-237-PVC(BLACK8946$)・・・FE-237-PVC(IVORY8924-1#)」（ソファ及びフロアチェア・・・FE-237-PVC(BLACK8946$)・・・FE-237-PVC(IVORY8924-1#)）、「FURNICO ENTERPRISE CO.,」と記載されている。
（３−２）甲第１の３の２号証
　タイトルの右下の位置に「DATED:APR,18,2006」（日付：2006年4月18日）、「IN NO.FF0488」（請求書番号：FF0488）と記載され、また、左下の位置に「FUJI BOEKI CO.,LTD NO.3-9-17,HAMAMACHI,WAKAMATSU-KU,KITAKYUSHU-CITY,JAPAN」（不二貿易株式会社　御中　日本国北九州市若松区浜町3-9-17）と記載されている。
（３−３）甲第１の３の３号証
　タイトルの右下の位置に「DATED:28-Jun-05」（日付：05年6月28日）、「INVOICE NO.FEC20050021」（請求書番号：FNC20050021）と記載され、また、左下の位置に「ON ACCOUNT AND RISK OF MESSRS. FUJI BOEKI CO.,LTD NO.3-9-17,HAMAMACHI,WAKAMATSU-KU,KITAKYUSHU-CITY,JAPAN」（不二貿易株式会社　御中　日本国北九州市若松区浜町3-9-17）と記載されている。
　
（４）甲第１の４の１号証乃至甲第１の４の３号証は納品書あるいは物品受領書に関する文書であって、それぞれ、つぎのとおり記載されている。
（４−１）甲第１の４の１号証
　タイトルを「納品書（控）」とする文書であって、「取引先名」の欄に「フジボウエキ」、「納品日」の欄に「050806」、「社名」の欄に「カ）トライアルカンパニー」、「店名」の欄に「チクゴ」、「品名・規格」の欄に「PVCカウチソファー2PIV FE-237 PVCカウチソファー」及び「PVCカウチソファー2PBK FE-237 PVCカウチソファー」と記載されている。
（４−２）甲第１の４の２号証
　タイトルを「物品受領書」とする文書であって、「取引先名」の欄に「フジボウエキ」、「納品日」の欄に「050806」、「社名」の欄に「カ）トライアルカンパニー」、「店名」の欄に「ハマダ」、「品名・規格」の欄に「PVCカウチソファー2PIV FE-237 PVCカウチソファー」及び「PVCカウチソファー2PBK FE-237 PVCカウチソファー」と記載されている。
（４−３）甲第１の４の３号証
　タイトルを「納品書　兼　請求明細」とする文書であって、当該タイトルの右位置、左位置、下位置に、それぞれ「不二貿易株式会社　〒８０８−８５５０　北九州市若松区浜町３丁目９番１７号」、「（株）トライアルカンパニー　スーパーセンタートライアル浜田店」、「17年08月05日」と記載されている。さらに「商品名」の欄に「PVCカウチソファー FE-237 2P アイボリー」及び「PVCカウチソファー FE-237 2P ブラック」と記載されている。
　
（５）甲第１の５号証は、タイトルを「カウチソファ納品確認書」とする文書であって、「株式会社トライアルカンパニーは、２００５年８月６日、カウチソファ（型番：ＦＥ−２３７）を不二貿易株式会社から仕入れいたしました。その後、株式会社トライアルカンパニーの筑後店および浜田店にて上記カウチソファを販売いたしました。」と記載され、「平成２０年１２月２５日の記載とともに「緑川研寿」の署名及び「緑川」の捺印がされている。
　
（６）甲第１の６の１号証乃至甲第１の６の８号証は、タイトルを「WASABIお買い上げ明細書」とする文書であって、それぞれ、つぎのとおり記載されている。
（６−１）甲第１の６の１号証
　「ご注文日」の欄に「2005年9月21日」、「商品名/商品番号/項目:選択肢」の欄に「PVCカウチソファー 2P ツイスト　(アイボリー)　63224」と記載されている。
（６−２）甲第１の６の２号証
　「ご注文日」の欄に「2005年10月4日」、「商品名/商品番号/項目:選択肢」の欄に「【送料無料】【0509スペシャルセール】PVCカウチソファー　ツイスト(アイボリー)　63224」と記載されている。
（６−３）甲第１の６の３号証
　「ご注文日」の欄に「2005年10月6日」、「商品名/商品番号/項目:選択肢」の欄に「【送料無料】PVCカウチソファー　ツイスト(アイボリー)　63224」と記載されている。
（６−４）甲第１の６の４号証
　「ご注文日」の欄に「2005年10月9日」、「商品名/商品番号/項目:選択肢」の欄に「PVCカウチソファー 2P ツイスト　(ブラック)　63225」と記載されている。
（６−５）甲第１の６の５号証
　「ご注文日」の欄に「2005年10月11日」、「商品名/商品番号/項目:選択肢」の欄に「【送料無料】PVCカウチソファー ツイスト　(アイボリー)　63224」と記載されている。
（６−６）甲第１の６の６号証
　「ご注文日」の欄に「2005年10月25日」、「商品名/商品番号/項目:選択肢」の欄に「PVCカウチソファー 2P ツイスト　(ブラック)　63225」と記載されている。
（６−７）甲第１の６の７号証
　「ご注文日」の欄に「2005年12月4日」、「商品名/商品番号/項目:選択肢」の欄に「PVCカウチソファー 2P ツイスト　(アイボリー)　63224」と記載されている。
（６−８）甲第１の６の８号証
　「ご注文日」の欄に「2005年12月15日」、「商品名/商品番号/項目:選択肢」の欄に「PVCカウチソファー 2P ツイスト　(アイボリー)　63224」と記載されている。
　
２．甲第２号証（実願昭６０−１８６８８８号（実開昭６２−９５７００号）のマイクロフイルム）には以下の事項が記載されている。
（１）「２．実用新案登録請求の範囲
　表地と伸縮性の有る基布との間にクッション材を、基布にテンションを与えた状態で、キルティング加工した、ソファー及びマットレス等の外装材。」（１頁４乃至８行）
（２）第３図の記載から、基布２と表地１との間に設けられたクッション材３は、上面を長手方向にかけて凹凸状に形成されていることが窺える。
　
３．甲第３号証（特開２００１−２６９２４８号公報）には以下の事項が記載されている。
（１）「【請求項１】軟質パイプ２の両端の内側に通し穴３を設け、ゴム紐４を通して連結し、伸縮布カバー１３をかぶせた伸縮する敷布団１。」
（２）図１の記載から、軟質パイプ２は多数並べて配置されており、これらの軟質パイプ２により形成される上面及び下面は長手方向にかけて凹凸状に形成されていることが窺える。
　
４．甲第４号証（特開２００５−２５３５１４号公報）には以下の事項が記載されている。
（１）「【請求項１】
　矩形板状に形成されたクッション体と、このクッション体を被覆した外装地とを有し、
　上記クッション体は、長手方向の一端部の幅方向両端部を除く部分を形成した第１のクッション体と、上記長手方向の一端部の幅方向両端部に設けられた第２のクッション体とを有し、
　上記第２のクッション体は、上記第１のクッション体よりも荷重に対して変形し易いことを特徴とするクッション装置。」
（２）「【００１６】
　上記クッション体２は、ベッドパッド１の長手方向の一端部の幅方向両側部を除く部分を形成する第１のクッション体４と、上記長手方向の一端部の幅方向両側部を形成する第２のクッション体５とからなる。」
（３）「【００２２】
　上記第２の袋部１２は、上記第１の袋部１１の幅方向外側に位置する一辺に設けられたファスナ１８によって開閉可能な構造となっている。それによって、粒子状樹脂材８を収容した収容袋７は上記第２の袋部１２に出し入れ可能となっている。」
（４）図１の記載から、第１のクッション体４の上面及び下面は長手方向にかけて凹凸状に形成されていることが窺える。
　
５．甲第５号証（特開２００３−３３４１２６号公報）には以下の事項が記載されている。
（１）「【請求項１】（イ）細長い形のクッションの収納袋（１）の長手方向にファスナー（２）を設ける。
（ロ）任意形状のクッション（４）を設け、クッション（４）に着脱可能の接続部（５）を設ける。
（ハ）着脱可能の接続部は面ファスナー（６）を付ける。
（ニ）収納袋（１）に複数個をつないだクッション（４）を挿入する。本発明は以上の構成よりなるクッション。」
（２）図１の記載から、細長い形の収納袋１の長手方向の一端部から他端部までファスナ２が設けられていることが窺える。
　
６．甲第６号証（特開２０００−１５２８５２号公報）には以下の事項が記載されている。
（１）「【請求項１】　前主フレーム１と後主フレーム２が倒立Ｖ字型に折畳み自在に相互に枢結され、該前主フレーム１にはリクライニングフレーム４が後方下傾の所定傾斜角度に起伏自在として枢着されると共に、後主フレーム２の前端に前方下傾の所定傾斜角度に起伏自在として第１フレーム５が枢着され、さらに、該第１フレーム５の後端に第２フレーム６が倒立Ｖ字型に折畳み自在に枢着され、上記リクライニングフレーム４と第１フレーム５と第２フレーム６にて副フレーム40を形成したことを特徴とする折畳みベッド。」
　
７．甲第７号証（特開２００５−９７５４０号公報）には以下の事項が記載されている。
（１）「【請求項１】
エステル交換法により得られる粘度平均分子量１６，０００以上の芳香族ポリカーボネートであって、ゲルパーミエイションクロマトグラフィーにより測定したポリスチレン換算の重量平均分子量（Ｍｗ）と数平均分子量（Ｍｎ）との比（Ｍｗ/Ｍｎ）が２．８以上４．５の範囲内であり、２８０℃でのメルトインデックス測定において、溶融樹脂に対して１１ｋｇの荷重を加えた場合に押出されたストランド断面積をオリフィス断面積で除した値（以下、スウェル比という）が１．２以上４．０以下の範囲であることを特徴とする芳香族ポリカーボネート。」
（２）「【００５２】
  ・・・
  本発明の押し出し成形用ポリカーボネートは、ツインウオール、さらに多層のマルチウオールに好ましく使用され、さらに同じ樹脂もしくは他材料との共押し出しにより、例えば０．０１〜１ｍｍ程度の厚みの表面層有するシート、ツインウオールシートも成形可能で、さらにポリカーボネートのガスバリヤー性を改良するためにポリエチレンテレフタレートや、ポリアミドとの多層押し出し成形にも使用できる」
　
８．甲第８号証（特開２００２−１４２９２１号公報）には以下の事項が記載されている。
（１）「【請求項１】　　既存のマットレスに載置するようにした、落下予防機能を有するマットレスであって、マットレス基部と、マットレス基部幅方向両端側に装着した、前記マットレス基部より突出させてなるサイドサポータとを有することを特徴とする落下予防機能を有するマットレス。」
（２）「【００１３】そして、以上のように構成されるマットレス１０は、使用の際には、全体をカバー１３によって覆うようにしている（図３参照）。この場合、カバー１３は、袋状に構成され、マットレス１０側面に沿って設けたファスナ１４によって封止する構成としている。またカバー１３には、防水加工を施した生地を使用することができ、あるいは通気性のある生地を使用することができる。なお、既存のマットレス２に載置して使用するマットレス１の場合も、使用の際は、図示はしないが全体をカバーによって覆うようにしている。」
　
９．甲第９号証（特開平１１−２３５８０５号公報）には以下の事項が記載されている。
（１）「【請求項１】　溝状部を有する凹凸化粧材において、
凹凸表面として溝状部を有する凹凸基材の該凹凸表面に対して、溝状部内も含めた凹凸表面に絵柄着色層が形成されており、且つ溝状部内のみに絵柄着色層の下に色付け層が形成されており、色付け層の色は、絵柄着色層と同色調である、溝状部を有する凹凸化粧材。」
（２）「【発明の効果】・・・本発明の凹凸化粧材によれば、タイル貼り調等の目地等となる溝状部内が転写又は化粧シートのラミネートによって装飾され、そこで伸ばされた絵柄着色層の色調が薄くなり、隠蔽性が低下したとしても、下に絵柄着色層と同色調の色付け層が有る為に、色調が薄く感じられたり、色調が凹凸基材の色調に近い方向にズレたり、絵柄が暈けた様に感じられずに、加飾性が向上し意匠感に優れた凹凸化粧材となる。特に、溝状部が深く絵柄着色層が大きく伸ばされる、深絞りとなる形状の場合に、色付け層の効果が顕著に得られる。
・・・また、本発明の凹凸化粧材の製造方法によれば、溝状部内が装飾された上記凹凸化粧材が容易に得られる。
・・・また、本発明の凹凸化粧材の製造方法に於いて固体粒子衝突圧を利用した転写法による場合は、深い溝状部等と大きな三次元的凹凸表面が装飾された凹凸化粧材が容易に得られる。しかも凹凸化粧材の全体の（包絡面）形状は、平板状の板材以外にも、窓枠、サッシ等や、瓦の様に全体として（包絡面形状が）波うち形状のもの、或いは凸又は凹に湾曲した形状のもの等の二次元的凹凸、或いは三次元的凹凸も可能である。しかも、大柄な凹凸表面の凸部上、凹部内（底部や凸部と底部の連結部分である側面）も転写できる。また、大柄な凹凸の凸部上に、更に微細な凹凸模様（例えば、ヘアライン、梨地等）が有る場合でも、その微細凹凸の凹部内にまで、転写にて装飾することもできる。また、ゴムローラによる従来のローラ転写法の様に、凹凸基材の凸部の隅角部によるローラ等の部品の損耗も無い。
・・・一方、ローラ転写法による場合は、浅い溝状部等の凹凸が比較的小さい場合に、簡便な装置で絵柄が転写でき、前記凹凸化粧材を容易に製造できる。」
　
１０．甲第１０号証（特開２００５−２７８号公報）には以下の事項が記載されている。
（１）「【請求項１】
起伏可能に背部と座部との対向端縁を連結したソファー兼用ベッドであって、上記背部の起立時に弾性的に湾曲して略水平に肘を支持可能な肘掛け状態となり、上記背部の倒伏時に略への字形状態となる弾性帯状体で肘掛け部材を形成するとともに、該肘掛け部材の両端部のそれぞれを背部側と座部側とに連結し、
上記肘掛け部材の長手方向において上記湾曲する箇所を隔てた背部側と座部側とに、上記湾曲を防止するリブを形成し、
上記肘掛け部材の下面側に上記略への字形状態の上記肘掛け部材を支持する支持部材を形成したソファー兼用ベッド。」
（２）「【００３２】
また、上記左右各側のソファー兼用ベッド１２、１３は、背部１４と座部１５とに対応する２つのマット部材の一方の端部どうしを連結し、長手方向における互いに対接する側と反対側の端部には、肘掛け部材１６を背部１４と座部１５とに連結している。上記マット部材は、金属フレームからなるフレーム材と、弾性を有するマット地と、これらを被覆する被覆地を用いて形成している。」
（３）図１の記載から、２台の、背部１４、座部１５、肘掛け部材１６及び脚体１７を有するソファ兼用ベッド１２を長手方向に並べて配置された構造が窺える。
　
１１．甲第１１号証（特開２００４−１６２２５０号公報）には以下の事項が記載されている。
（１）「【請求項１】
一方向に延在する基材と、該基材の一方の面に設けられた化粧材とを備え、前記基材は前記一方向に沿って形成され該基材の他方の面に開口する溝を有し、該溝の横断面は凹曲面状に形成され、該溝に対応する前記基材が曲げ可能であるように形成されてなる覆材。」
（２）「【０００２】
・・・芯材を覆う覆材、あるいは建具と枠体との間の隙間を覆う覆材、およびこれら覆材を用いた建築部材、ならびに配線用または配管用の細長材を這わせることができる造作材に関するものである。」
（３）図２０の記載から、下地階段４１の、複数の、表面４１ａ及び蹴込み部分４１ｂからなる部分を覆材１により被覆する構造が窺える。
（４）図２１の記載から、基材３の２つの表面部分を覆材１の基材３により被覆する構造が窺える。
　
１２．甲第１２号証（登録実用新案第３０１０８１９号公報）には以下の事項が記載されている。
（１）「【請求項１】　座取付け部（Ａ１）の後部側から背受け部（Ａ２）を立設してあるソファー本体（Ａ）に、前記座取付け部（Ａ１）の上面に沿う座クッション部（Ｂ１）と、当該座クッション部（Ｂ１）の一端に連続する補助クッション部（Ｂ２）とを備えたクッション（Ｂ）の２個を左右方向に並設するとともに、前記両クッション（Ｂ）の各々を水平面又はほぼ水平面に沿って回転自在に構成してあるソファーにおいて、
前記ソファー本体（Ａ）の座取付け部（Ａ１）のうち、各クッション（Ｂ）の座クッション部（Ｂ１）の底面に対応する箇所の各々に、ソファー本体（Ａ）の背受け部（Ａ２）の前面及び隣接するクッション（Ｂ）の座クッション部（Ｂ１）の横側面から離れる側で、かつ、クッション（Ｂ）の回転を許容する高さ位置にまでクッション（Ｂ）を引出し自在に支持する昇降支持機構（Ｃ）を設けるとともに、前記両昇降支持機構（Ｃ）の上部の各々には、前記クッション（Ｂ）の座クッション部（Ｂ１）を縦軸芯（Ｐ）周りで回転自在に取付ける回転体（２６）を設け、更に、前記ソファー本体（Ａ）の座取付け部（Ａ１）とクッション（Ｂ）の座クッション部（Ｂ１）との相対向する部位には、前記昇降支持機構（Ｃ）が最下降位置に至る前に互いに接当して、クッション（Ｂ）の荷重を受止める荷重受け部（Ｄ）を設けるとともに、前記各クッション（Ｂ）の補助クッション部（Ｂ２）と座クッション部（Ｂ１）との間には、座クッション部（Ｂ１）に対して補助クッション部（Ｂ２）を横軸芯（Ｘ）周りの一定角度範囲内で揺動自在で、かつ、その揺動角度範囲の複数位置で選択的に係止保持可能に連結する姿勢変更機構（１２）を設けてあるソファー。」
（２）「【００１８】
　前記ソファー本体Ａは、図１、図２、図５に示すように、平面視において横長矩形状に枠組みされた剛性のある木製の台枠１の後部に、正面視において横長矩形状に枠組みされた木製の背枠２を取付け、この背枠２の所要箇所にそれぞれスポンジ等のクッション材３を充填（必要に応じて台枠１の所要箇所にクッション材３を充填してもよい）したのち、このクッション材３を含む台枠１及び背枠２の全体を布や革等のソファー用生地４で被覆するとともに、前記台枠１の底面前端側の左右両側部にはそれぞれ木製の脚５を取付け、更に、前記台枠１の底面後端側の左右両側部にはそれぞれ樹脂製の接地体６を取付けて構成されている。
　・・・
【００１９】
　前記クッションＢの各々は、図２、図５に示すように、前記座クッション部Ｂ１の補強芯材となる金属パイプ製の第１フレーム１０と、前記補助クッション部Ｂ２の補強芯材となる金属パイプ製の第２フレーム１１と、これら両フレーム１０，１１を横軸芯Ｘ周りの一定角度範囲内で相対揺動自在で、かつ、その揺動角度範囲の複数位置で選択的に係止保持可能に連結する姿勢変更機構１２とを備え、更に、これら三者１０，１１，１２で形成される空隙や表裏等の所要箇所にスポンジ等のクッション材１３を充填したのち、このクッション材１３を含むクッション全体を布や革等のクッション用生地１４で被覆して構成されている。」
　
Ｂ．甲第１号証に記載のカウチソファーについて
１．上記「Ａ．１．」の（１）の記載から、「『ＦＥ２３７　ＩＶ』を型番とする商品」は、背もたれ部、肘掛け部及び脚部を備えた長いすタイプのカウチソファーである（以下、「甲第１号証カウチソファー」という。）。
　しかしながら、甲第１号証には、当該証拠が本件特許に係る出願前のものであるとする記載も示唆もないから、甲第１号証カウチソファーが本件特許に係る出願前に公然知られたものであるかどうかは特定することができない。
　この点について、上記「Ａ．１．」の（３−１）の記載から、「『ＦＥ−２３７』を型番とする、ソファ及びフロアチェア」は、本件特許に係る出願前である、２００５年６月２８日に、中国の「FURNICO ENTERPRISES COMPANY LIMITED 」から日本の「不二貿易株式会社」に輸入されたものであり、また、上記「Ａ．１．」の（４）乃至（５）の記載から、「『ＦＥ−２３７』を型番とするカウチソファー」は、２００５年８月６日に、不二貿易株式会社から株式会社トライアルカンパニーの筑後店及び浜田店に納品され、その後販売されたものであると一応推認できる。
　しかしながら、「『ＦＥ−２３７』を型番とする、ソファ及びフロアチェア」が本件特許に係る出願前に中国から日本に輸入され、「『ＦＥ−２３７』を型番とするカウチソファー」が日本国内で販売されたものであるとしても、当該カウチソファーと「ＦＥ２３７　ＩＶ」を型番とする甲第１号証カウチソファーとが同じ構造のものか否かについて確認できず、また、甲第１号証が本件特許に係る出願前のものであると特定することもできない以上、甲第１号証カウチソファーは本件特許に係る出願前に公然知られたものであるとすることはできない。
　
　２．つぎに、仮に、甲第１号証カウチソファーは本件特許に係る出願前に公然知られたものであるとした場合、甲第１号証カウチソファーの構造は特定できるかどうかについて検討する。
　
　甲第１号証それ自体には、上記「Ａ．１．（１）」に記載したとおりの記載があるにすぎないから、当該証拠にカウチソファーの構造が記載されているとはいえない。
　また、甲第１の２の１号証乃至甲第１の２の３０号証には、上記「Ａ．１．（２）」に記載したとおりの記載があるにすぎず、カウチソファーの構造についての記載はあるものの、「ＦＥ−２３７」等の記載は見あたらないから、当該カウチソファーと甲第１号証カウチソファーとが同じ構造のものであるとは認められない。
　また、甲第１の３の１号証乃至甲第１の３の３号証、甲第１の４の１号証乃至甲第１の４の３号証、及び甲第５号証には、上記「Ａ．１．」の（３）乃至（５）に記載したとおりの記載があるにすぎないから、これらの証拠にカウチソファーの構造が記載されているとはいえない。
　さらに、甲第１の６の１号証乃至甲第１の６の８号証には、上記「Ａ．１．（６）」に記載したとおり、「カウチソファー」との記載はあるものの、当該カウチソファーと甲第１号証カウチソファーとの関係についての記載が見あたらず、また、カウチソファーの構造についての記載も見あたらない。
　よって、甲第１号証カウチソファーの構造は、甲第１の２の１号証乃至甲第１の２の３０号証、甲第１の３の１乃至甲第１の３の３号証、甲第１の４の１号証乃至甲第１の４の３号証、甲第１の５号証、及び、甲第１の６の１号証乃至甲第１の６の８号証を参酌しても、特定することはできない。
　
３．小括
　以上のとおりであるから、甲第１号証カウチソファーは、本件特許に係る出願前に公然知られたものであるとはいえず、また、仮に、甲第１号証カウチソファーが本件特許に係る出願前に公然知られたものであるとしても、その構造は特定できないものである。
　
Ｃ．本件特許発明１について
１．上記したとおりであるから、甲第１号証カウチソファーに基いて発明を特定することはできない。
　また、上記「Ａ．」の「２．」乃至「１２．」に記載したとおりであるから、甲第２乃至第１２号証のいずれにも、「少なくとも上面を長手方向にかけて凹凸状に形成したクッション部と、該クッション部の下側に、上記クッション部を支持する支持フレームとが設けられている寝具」に係る発明について記載されていない。
　したがって、本件特許発明１は、甲第１号証乃至甲第１２号証に記載された発明に基いて、特許出願前に当業者が容易に発明をすることができたものであるとすることはできない。
　
２．この点について、請求人は、
「甲第１号証は、本件特許発明の出願日前に販売されたカウチソファ（型番：ＦＥ−２３７）のインターネット販売サイトの写しである。
　甲第１の２の１号証〜甲第１の２の３０号証は、甲第１号証に示すカウチソファ（型番：ＦＥ−２３７）を分解して示す写真である。」（請求書第１２頁）、
「（１）請求の理由の補足
　本件カウチソファ（ＦＥ−２３７）の開発の経緯について説明する。
　・・・不二貿易株式会社はこの開発サンプルに対して生地の変更、脚の取付、梱包の確認等を指示し、商品サンプル（ＦＥ−２３７に相当する）を入手した。この商品サンプルを甲第１の２の１号証乃至甲第１の２の３０号証にて示す。
　・・・
　II　甲第１の２の１号証乃至３０号証について
　甲第１の２の１号証乃至甲第１の２の３０号証は、上記（１）請求の理由の補足にて記載したように、商品サンプルの分解写真である。この商品サンプルが、輸入・販売に係る商品カウチソファ（ＦＥ−２３７）と同一商品であることが上述の開発から発注までの経緯により明確である。」（口頭審理陳述要領書第１乃至２頁）、
　と主張し、その上で、さらに、
「乙第２号証の「表皮カバー」及び「座部の底面カバー」のうち、乙第３号証のＣ断面図の「第３のクッション」と「支持フレーム」との境界面より上部が本件発明のクッション被覆部に相当し、下部が本件発明の支持フレーム被覆部に相当する。」（調書）、
　と主張している。
　
　そこで、仮に、甲第１号証カウチソファーが本件特許に係る出願前に公然知られたものであり、甲第１の２の１乃至甲第１の２の３０号証は、甲第１号証カウチソファーに関するものであり、乙第２号証の「表皮カバー」及び「座部の底面カバー」のうち、乙第３号証のＣ断面図の「第３のクッション」と「支持フレーム」との境界面より上部が本件発明のクッション被覆部に相当し、下部が本件発明の支持フレーム被覆部に相当する、とした場合、本件特許発明１は、甲第１号証乃至甲第１２号証に記載された発明に基いて、特許出願前に当業者が容易に発明をすることができたものであるかどうかについて、さらに検討する。
　
２−１．甲第１号証の発明
　甲第１の２の１号証乃至甲第１の２の３０号証から甲第１号証カウチソファーは、つぎの構造を有するものである（乙第２号証及び乙第３号証も参照。）。
　
（座部について）
（１）第３のクッションの下側に、板材を介して、当該第３のクッションを支持する支持フレームが設けられている。
（２）第３のクッションは、支持フレームの幅よりも幅大に形成されている。
（３）第３のクッション及び支持フレームは、第１のクッション及び仕切りカバーを有する表皮カバー、及び座部の底面カバーにより被覆されている。
（４）表皮カバーと座部の底面カバーとは連結されて形成されている（以下、「座部被覆カバー」という。）。
　
（倒した状態の背もたれ部について）
（５）第３のクッションの下側に、当該第３のクッションを支持する支持フレームが設けられている。
（６）第３のクッションは、支持フレームの幅よりも幅大に形成されている。
（７）第３のクッション及び支持フレームは、第１のクッション及び仕切りカバーを有する表皮カバー、及び背もたれ部の底面カバーにより被覆されている。
（８）表皮カバーと背もたれ部の底面カバーとは連結されて形成されている（以下、「背もたれ部被覆カバー」という。）。
　
　以上から、背もたれ部を倒した状態における、甲第１号証カウチソファーはつぎのとおりのものである（以下、「甲第１号証の発明」という。）。
　「座部の第３のクッションと、当該座部の第３のクッションの下側に、板材を介して、当該座部の第３のクッションを支持する座部の支持フレームとが設けられている座部と、
背もたれ部の第３のクッションと、当該背もたれ部の第３のクッションの下側に、当該背もたれ部の第３のクッションを支持する背もたれ部の支持フレームとが設けられている背もたれ部と、を有するカウチソファであって、
　上記座部の第３のクッションを、上記座部の支持フレームの幅よりも幅大に形成するとともに、上記背もたれ部の第３のクッションを、上記背もたれ部の支持フレームの幅よりも幅大に形成し、
　上記座部の第３クッション及び座部の支持フレームを被覆する、第１のクッション及び仕切りカバーを有する座部の表皮カバーと、座部の底面カバーとを連結して形成した座部被覆カバーを具備するとともに、
　上記背もたれ部の第３クッション及び背もたれ部の支持フレームを被覆する、第１のクッション及び仕切りカバーを有する背もたれ部の表皮カバーと、背もたれ部の底面カバーとを連結して形成した背もたれ部被覆カバーを具備した、
カウチソファー」
　
２−２．対比
　本件特許発明１と甲第１号証の発明とを対比する。
　本件特許発明１の寝具と甲第１号証の発明の「座部」及び「背もたれ部」とは「人を載上する家具」である限りにおいて一致する。
　甲第１号証の発明の「座部の第３のクッション」及び「背もたれ部の第３のクッション」は、本件特許発明１の「クッション部」に相当する。
　甲第１号証の発明の「座部の支持フレーム」及び「背もたれ部の支持フレーム」は、本件特許発明１の「支持フレーム」に相当する。
　甲第１号証の発明の「座部の第３のクッションの下側に、板材を介して、当該座部の第３のクッションを支持する座部の支持フレームとが設けられ」及び「背もたれ部の第３のクッションの下側に、当該背もたれ部の第３のクッションを支持する背もたれ部の支持フレームとが設けられ」は、本件特許発明１の「クッション部の下側に、上記クッション部を支持する支持フレームとが設けられ」に相当する。
　甲第１号証の発明の「座部の第３クッション及び座部の支持フレームを被覆する、第１のクッション及び仕切りカバーを有する座部の表皮カバーと、座部の底面カバーとを連結して形成した座部被覆カバーを具備」する構造について、「座部の表皮カバー」及び「座部の底面カバー」のうち、「座部の第３のクッション」と「座部の支持フレーム」との境界面より上部が本件特許発明１のクッション被覆部に相当し、下部が本件特許発明１の支持フレーム被覆部に相当する。
　同様に、甲第１号証の発明の「背もたれ部の第３クッション及び背もたれ部の支持フレームを被覆する、第１のクッション及び仕切りカバーを有する背もたれ部の表皮カバーと、背もたれ部の底面カバーとを連結して形成した背もたれ部被覆カバーを具備」する構造について、「背もたれ部の表皮カバー」及び「背もたれ部の底面カバー」のうち、「背もたれ部の第３のクッション」と「背もたれ部の支持フレーム」との境界面より上部が本件特許発明１のクッション被覆部に相当し、下部が本件特許発明１の支持フレーム被覆部に相当する。
　甲第１号証の発明の「連結して形成した」（２カ所）は、本件特許発明１の「一体に形成した」に相当する。
　甲第１号証の発明の「座部被覆カバー」及び「背もたれ部被覆カバー」は、本件特許発明１の「被覆カバー」に相当する。
　
　したがって、本件特許発明１と甲第１号証の発明とは、
　「クッション部と、該クッション部の下側に、上記クッション部を支持する支持フレームとが設けられている人を載上する家具であって、
上記クッション部を、上記支持フレームの幅よりも幅大に形成し、
上記クッション部を被覆するクッション被覆部と、上記支持フレームを被覆する支持フレーム被覆部とを一体に形成した被覆カバーを具備した
人を載上する家具。」である点で一致し、つぎの点で相違する。
　
相違点１
　人を載上する家具について、本件特許発明１は寝具であるのに対して甲第１号証の発明は座部及び背もたれ部を有するカウチソファーである点。
　
相違点２
　クッション部について、本件特許発明１は「少なくとも上面を長手方向にかけて凹凸状に形成し」ているのに対し、甲第１号証の発明は当該構成を備えていない点。
　
相違点３
　クッション部について、本件特許発明１は「上記クッション部を、その長さ方向にかけて複数のクッション片部材を配置させて構成し」ているのに対し、甲第１号証の発明は当該構成を備えていない点。
　
相違点４
　被覆カバーについて、本件特許発明１は「上記支持フレーム被覆部が支持フレームの外郭形状に、上記クッション被覆部がクッション部の外郭形状にそれぞれ相当する形状、及び、大きさにより形成して、上記クッション被覆部が上記支持フレーム被覆部に対して幅方向において段状に突き出した形態になるよう形成し」ているのに対し、甲第１号証の発明は当該構成を備えていない点。
　
２−３．判断
　まず、相違点４について検討する。
　甲第１乃至第１２号証には、上記「Ａ．」に記載したとおりの事項が記載されているにすぎないから、いずれの証拠にも、本件特許発明１の「被覆カバーを、上記支持フレーム被覆部が支持フレームの外郭形状に、上記クッション被覆部がクッション部の外郭形状にそれぞれ相当する形状、及び、大きさにより形成して、上記クッション被覆部が上記支持フレーム被覆部に対して幅方向において段状に突き出した形態になるよう形成」する構成についての、記載も示唆も見あたらない。
　
　この点について、請求人は、「被覆カバーを、上記支持フレーム被覆部が支持フレームの外郭形状に、上記クッション被覆部がクッション部の外郭形状にそれぞれ相当する形状、及び、大きさにより形成して、上記クッション被覆部が上記支持フレーム被覆部に対して幅方向において段状に突き出した形態になるよう形成すること、すなわち、段差付きの外観に密着させてカバーを形成し、外観形状そのままに被覆することは、クッションなどの被覆においては、例を挙げるまでもなく周知技術（II）である。」（請求書第１６頁）、「周知技術（II）、つまり相違点Ｆ’に係り被覆カバーの大きさ・形状をマットレス・支持フレームなどの外郭形状と合致させることが周知技術である。甲第７号証乃至甲第１２号証は、凹凸形状の中身（マットレスなど）に合わせてカバーで被覆した例を示す。いずれもその凹凸外形に合わせてカバーで被覆してある。」（陳述要領書第３頁）と主張している。
　しかしながら、請求人の主張は上記した事項にとどまるから、当該主張自体から周知技術（II）が周知である理由が明らかであるとはいえない。
　一方、上記したとおり、甲第１乃至第１２号証のいずれの証拠にも、本件特許発明１の「被覆カバーを、上記支持フレーム被覆部が支持フレームの外郭形状に、上記クッション被覆部がクッション部の外郭形状にそれぞれ相当する形状、及び、大きさにより形成して、上記クッション被覆部が上記支持フレーム被覆部に対して幅方向において段状に突き出した形態になるよう形成」する構成についての記載も示唆も見あたらないから、これらの証拠から請求人の主張する周知技術（II）（段差付きの外観に密着させてカバーを形成し、外観形状そのままに被覆すること。）が周知であるとすることもできない。
　したがって、請求人の当該主張は理由がない。
　
　よって、甲第１号証の発明において、相違点４に係る本件特許発明１の構成とすることが当業者にとって容易であるとはいえない。
　
　以上のとおりであるから、本件特許発明１は、相違点１乃至３について検討するまでもなく、甲第１号証乃至第１２号証に基いて当業者が容易に発明をすることができたものとすることはできない。
　
３．小括
　甲第１号証カウチソファーは公然知られたものであるとはいえず、また、その構造の特定もできないから、甲第１号証に基いて発明を特定することはできない。
　したがって、本件特許発明１は、甲第１号証乃至甲第１２号証に記載された発明に基いて、特許出願前に当業者が容易に発明をすることができたものであるとすることはできない。
　また、仮に甲第１号証に基いて発明の特定ができるとしても、本件特許発明１は、甲第１号証乃至甲第１２号証に記載された発明に基いて、特許出願前に当業者が容易に発明をすることができたものであるとすることはできない。
　
Ｄ．本件特許発明２乃至６について
　本件特許発明２乃至６は、本件特許発明１の構成をその構成の一部とするものであるから、上記と同様の理由により、当業者が容易に発明をすることができたものとすることはできない。
　
Ｖ．むすび
　以上のとおりであるから、請求人の主張する理由及び提出した証拠方法によっては本件特許１乃至６を無効にすることはできない。
　審判に関する費用については、特許法第１６９条第２項の規定で準用する民事訴訟法第６１条の規定により、請求人が負担すべきものとする。
　よって、結論のとおり審決する。